(57)【特許請求の範囲】
【請求項１】
入力された画像を光学像に変換して接眼光学系に投影し、この投影された光学像を当該接眼光学系が装着者の眼に導くことによって仮想表示する頭部装着型の表示手段を有する表示装置において、
前記入力された画像データに基づいた画像に応じて、当該画像の区分けを行う表示領域分割手段と、
前記表示領域分割手段で区分けされた表示領域毎に仮想表示する表示制御手段と、
を備えたことを特徴とする表示装置。
【請求項２】
前記表示領域分割手段は、前記区分けされた領域の画像を識別し、文章を表示する領域である文章表示領域又は画像を表示する画像表示領域に区別することを特徴とする請求項１に記載の表示装置。
【請求項３】
前記区分けされた文章表示領域における文字の書体を変換する文字書体変換手段を更に備えることを特徴とする請求項２に記載の表示装置。
【請求項４】
前記区分けされた文章表示領域における文字のサイズを変換する文字サイズ変換手段を更に備えることを特徴とする請求項２又は３に記載の表示装置。
【請求項５】
前記区分けされた文章表示領域における書式を縦書き又は横書きのいずれかに変換する書式変換手段を更に備えることを特徴とする請求項２〜４のいずれか一項に記載の表示装置。
【請求項６】
前記表示制御手段は、前記区分けされた複数の文章表示領域を表示する場合に、前記文字書体変換手段における文字の書体、前記文字サイズ変換手段における文字のサイズ及び／又は前記書式変換手段における書式をいずれか一つに統一して行い、その変換後の区分けされた表示領域毎に仮想表示することを特徴とする請求項３〜５のいずれか一項に記載の表示装置。
【請求項７】
前記入力された画像データに基づいた画像又は前記表示領域分割手段で区分けられた表示領域毎の画像の表示切換を指示する指示手段を更に備え、
前記表示制御手段は、前記指示手段で指示された画像を仮想表示することを特徴とする請求項１〜６のいずれか一項に記載の表示装置。
【請求項８】
前記指示手段は、前記表示領域分割手段で区分けられた表示領域毎の画像の複数表示を指示することを特徴とする請求項７に記載の表示装置。
【請求項９】
前記指示手段は、前記表示領域分割手段で区別される文章表示領域又は画像表示領域のいずれか一方の表示又は両方の表示切換を指示することを特徴とする請求項７又は８に記載の表示装置。
【請求項１０】
前記表示制御手段は、前記指示手段により、前記表示領域分割手段で区分けられた表示領域毎の画像の表示から前記入力された画像データに基づいた画像に表示切換が指示された場合、当該画像データに基づいた画像を仮想表示する画面に、前記表示切換前の表示領域毎の画像の表示部分を示すマーカーを表示することを特徴とする請求項７〜９のいずれか一項に記載の表示装置。
【請求項１１】
前記表示制御手段により前記入力された画像データに基づいた画像を仮想表示する際に、画面に表示するマーカーの位置を指示するマーカー位置指示手段を更に備え、
前記表示制御手段は、前記指示手段により、前記入力された画像データに基づいた画像から表示領域分割手段で区分けられた表示領域毎の画像に表示切換が指示された場合、前記表示切換前のマーカーの位置に応じた前記区分けられた表示領域の画像を仮想表示することを特徴とする請求項７〜９のいずれか一項に記載の表示装置。
【発明の詳細な説明】
【技術分野】
【０００１】
本発明は、読み取った画像を頭部装着型の表示部に表示する表示装置に関する。
【背景技術】
【０００２】
従来から、新聞、雑誌又は本などの印刷物の文字が読みづらい人や弱視者などが、その印刷物をスキャナなどで読み取り、その読み取った画像を頭部に装着した表示部に拡大して表示する表示装置が考えられている。
【０００３】
この表示装置は、表示部が利用者の頭部に装着されるため、利用者が表示画面の方向を意識することなく閲覧することができる。さらに、表示範囲の移動方向や拡大率等の利用者による指示をキーやスティックといった操作部から受け付けることで、印刷物の自在な閲覧を可能とする。
【０００４】
例えば、特許文献１には、高齢者や障害者が容易に画面の表示を読む情報処理装置として、画面上に表示されている文字などの拡大表示指示や移動指示を受け付けて拡大表示や指示方向への移動表示を行うとともに、行の折り返しで自動スクロールして連続表示する技術が開示されている。
【０００５】
また、特許文献２には、文字とイメージとが混在した画面を拡大・縮小表示することができる電子ブックとして、表示画面を縦横に分割して、多数のセルを形成し、操作部からの指示に応じたセルを拡大表示する技術が開示されている。
【０００６】
また、特許文献３には、視覚に障害を持つ人が読みやすく表示する拡大読書器として、文字列を１文字１文字ずつ識別分離して縦書き又は横書きへの配列変換や任意の字体への変換などを行う技術が開示されている。
【特許文献１】特開平０６−７５７３６号公報
【特許文献２】実開平０７−１６２３８号公報
【特許文献３】特開平０７−２３４９１９号公報
【発明の開示】
【発明が解決しようとする課題】
【０００７】
しかしながら、上述した従来技術では、予め区分けが行われている画像以外の例えば新聞などの印刷物を読み取った画像を表示する場合に、見出し、記事、写真など構成毎のセル分けを利用者が行わなければいけないため不便であった。また、その印刷物のレイアウトによっては、見出しと記事とで縦書き又は横書きが混在していることがあり、閲覧時に拡大して表示する場合にその見出しや記事の表示範囲の移動方向が分かりづらいという問題があった。
【０００８】
本発明の課題は、上記の従来技術における問題に鑑みてなされたものであって、閲覧する画像をより読みやすく表示することである。
【課題を解決するための手段】
【０００９】
上記課題を解決するために、請求項１に記載の発明は、入力された画像を光学像に変換して接眼光学系に投影し、この投影された光学像を当該接眼光学系が装着者の眼に導くことによって仮想表示する頭部装着型の表示手段を有する表示装置において、前記入力された画像データに基づいた画像に応じて、当該画像の区分けを行う表示領域分割手段と、前記表示領域分割手段で区分けされた表示領域毎に仮想表示する表示制御手段と、を備えたことを特徴とする。
【００１０】
請求項２に記載の発明は、請求項１に記載の発明において、前記表示領域分割手段は、前記区分けされた領域の画像を識別し、文章を表示する領域である文章表示領域又は画像を表示する画像表示領域に区別することを特徴とする。
【００１１】
請求項３に記載の発明は、請求項２に記載の発明において、前記区分けされた文章表示領域における文字の書体を変換する文字書体変換手段を更に備えることを特徴とする。
【００１２】
請求項４に記載の発明は、請求項２又は３に記載の発明において、前記区分けされた文章表示領域における文字のサイズを変換する文字サイズ変換手段を更に備えることを特徴とする。
【００１３】
請求項５に記載の発明は、請求項２〜４のいずれか一項に記載の発明において、前記区分けされた文章表示領域における書式を縦書き又は横書きのいずれかに変換する書式変換手段を更に備えることを特徴とする。
【００１４】
請求項６に記載の発明は、請求項３〜５のいずれか一項に記載の発明において、前記表示制御手段は、前記区分けされた複数の文章表示領域を表示する場合に、前記文字書体変換手段における文字の書体、前記文字サイズ変換手段における文字のサイズ及び／又は前記書式変換手段における書式をいずれか一つに統一して行い、その変換後の区分けされた表示領域毎に仮想表示することを特徴とする。
【００１５】
請求項７に記載の発明は、請求項１〜６のいずれか一項に記載の発明において、前記入力された画像データに基づいた画像又は前記表示領域分割手段で区分けられた表示領域毎の画像の表示切換を指示する指示手段を更に備え、前記表示制御手段は、前記指示手段で指示された画像を仮想表示することを特徴とする。
【００１６】
請求項８に記載の発明は、請求項７に記載の発明において、前記指示手段は、前記表示領域分割手段で区分けられた表示領域毎の画像の複数表示を指示することを特徴とする。
【００１７】
請求項９に記載の発明は、請求項７又は８に記載の発明において、前記指示手段は、前記表示領域分割手段で区別される文章表示領域又は画像表示領域のいずれか一方の表示又は両方の表示切換を指示することを特徴とする。
【００１８】
請求項１０に記載の発明は、請求項７〜９のいずれか一項に記載の発明において、前記表示制御手段は、前記指示手段により、前記表示領域分割手段で区分けられた表示領域毎の画像の表示から前記入力された画像データに基づいた画像に表示切換が指示された場合、当該画像データに基づいた画像を仮想表示する画面に、前記表示切換前の表示領域毎の画像の表示部分を示すマーカーを表示することを特徴とする。
【００１９】
請求項１１に記載の発明は、請求項７〜９のいずれか一項に記載の発明において、前記表示制御手段により前記入力された画像データに基づいた画像を仮想表示する際に、画面に表示するマーカーの位置を指示するマーカー位置指示手段を更に備え、前記表示制御手段は、前記指示手段により、前記入力された画像データに基づいた画像から表示領域分割手段で区分けられた表示領域毎の画像に表示切換が指示された場合、前記表示切換前のマーカーの位置に応じた前記区分けられた表示領域の画像を仮想表示することを特徴とする。
【発明の効果】
【００２０】
請求項１に記載の発明によれば、入力された画像に基づいて頭部装着型の表示手段から仮想表示する際に、その画像に応じて表示画像を区分けし、その区分けされた表示領域毎に画面表示することができるため、その閲覧する画像をより読みやすくすることができる。
【００２１】
請求項２に記載の発明によれば、区分けされた領域の文章を表示する領域又は画像を表示する領域に区別することができ、入力された画像データにおける画像を区分けして表示する際に文章と画像とを区別して表示することができ、より読み易くすることができる。
【００２２】
請求項３に記載の発明によれば、文字表示領域を画面表示する際の文字の書体を変換することができ、利用者が所望する書体で画面表示することができるため、文字情報を利用者が閲覧する際により読みやすくすることができる。
【００２３】
請求項４に記載の発明によれば、文字表示領域を画面表示する際の文字のサイズを変換することができ、利用者が所望する文字サイズで画面表示することができるため、文字情報を利用者が閲覧する際により読みやすくすることができる。
【００２４】
請求項５に記載の発明によれば、文字表示領域を画面表示する際の書式を縦書き又は横書きのいずれかにすることができ、利用者が所望する書式で画面表示することができるため、文字情報を利用者が閲覧する際により読みやすくすることができる。
【００２５】
請求項６に記載の発明によれば、区分けされた複数の文字表示領域を画面表示する場合に、文字の書体、文字のサイズ及び／又は書式をいずれかに統一して表示することができるため、入力された画像データに基づいた表示画像における複数の文字表示領域のレイアウトがそれぞれ異なる場合であっても、いずれかのレイアウトで統一して表示され、利用者がレイアウトに惑わされることなく、より読みやすくすることができる。
【００２６】
請求項７に記載の発明によれば、入力された画像データに基づいた画像又は当該入力された画像データに基づいた画像を区分けした表示領域毎の画像を切り換えて仮想表示することができ、利用者に対して閲覧している部分の認識を容易にさせることができる。
【００２７】
請求項８に記載の発明によれば、入力された画像データに基づいた画像を区分した表示領域の複数を仮想表示して確認することができる。
【００２８】
請求項９に記載の発明によれば、入力された画像データに基づいた画像を区分した表示領域を仮想表示する際に、文章表示領域又は画像表示領域のいずれか一方又は両方を仮想表示して確認することができる。
【００２９】
請求項１０に記載の発明によれば、区分けられた表示領域毎の画像の表示から入力された画像データに基づいた画像に表示切換が指示された場合、その画像データに基づいた画像が仮想表示された画面のマーカーから表示切換前の表示領域毎の画像の表示部分を確認することができるため、利用者は容易に閲覧箇所を確認することができる。
【００３０】
請求項１１に記載の発明によれば、入力された画像データに基づいた画像の表示から区分けられた表示領域毎の画像の表示に表示切換をする際に、その表示切換後に表示する表示領域の画像をマーカーで指示することができ、閲覧時における利便性を向上させることができる。
【発明を実施するための最良の形態】
【００３１】
以下、この発明の実施の形態について図１〜図６を参照して説明するが、この発明は、この実施の形態に限定しない。また、この発明の実施の形態は発明の最も好ましい形態を示すものであり、発明の用途やここで示す用語等はこれに限定するものではない。
【００３２】
図１は、本発明である表示装置１の機能的構成を模式的に示す図であり、図２は、表示装置１の外観を示す図であり、図３は、映像表示部１３とプリズム２４Ｒ部分の縦断面を示す図であり、図４は、表示装置１の動作を示すフローチャートであり、図５（ａ）は、画像読取部１０で読み取る原稿を例示する図であり、図５（ｂ）は、原稿の構成を例示する図であり、図６は、読み取った原稿に基づいた映像表示部１３における表示例を示す図である。
【００３３】
先ず、表示装置１の構成について説明する。図１に示すように、表示装置１は、原稿を読み取る画像読取部１０、表示装置１の動作を制御するコントロールユニット１１、利用者からの操作指示を受け付ける操作部１２及び利用者に対して画面表示する映像表示部１３を備えた構成である。
【００３４】
画像読取部１０は、特に図示しないＣＣＤ（Charge-Coupled  Device）等の撮像素子や撮像対象に適正な照明光を照射するＬＥＤ（Light  Emitting  Diode）等のランプ又は当該撮像対象や撮像素子への光量を調整するシャッター等を備え、コントロールユニット１１からの制御に応じて映像表示部１３に表示する原稿を読み取る。
【００３５】
コントロールユニット１１は、特に図示しないＣＰＵ（Central  Processing  Unit）、ＲＡＭ（Random  Access  Memory）及びＲＯＭ（Read  Only  Memory）等を備え、一次画像メモリ１１０、ブロック分割部１１１、画像変換部１１２、二次画像メモリ１１３及び表示制御部１１４としての機能を実現する回路部である。具体的には、ＣＰＵがＲＯＭに格納された制御プログラムや設定データをＲＡＭの作業領域に展開して順次実行することで、上述した各機能部の実現や表示装置１の動作全般の統括制御を行う。
【００３６】
また、コントロールユニット１１は、一次画像メモリ１１０、ブロック分割部１１１及び画像変換部１１２を有する読取ユニット１１ａと二次画像メモリ１１３及び表示制御部１１４を有する表示ユニット１１ｂとがコネクタなどで分離可能な構成である。このため、表示装置１は、表示ユニット１１ｂ、操作部１２及び映像表示部１３の構成で、操作部１２からの指示に応じて表示ユニット１１ｂの二次画像メモリ１１３に格納された画像データの再生表示を映像表示部１３に行うことができる。
【００３７】
一次画像メモリ１１０は、画像読取部１０で読み込まれる画像データを一時的に格納するメモリである。ブロック分割部１１１は、一次画像メモリ１１０に格納された画像データに基づく画像において、空白領域や区切り線などの区切り情報とその内側の画像を検出し、その検出結果に基づいて区切り情報で仕切られて割り付けられた文章や画像等の領域を分割する。
【００３８】
またブロック分割部１１１は、その分割した領域の描画パターンを判別することで文字による文章領域又は画像領域を区別し、文章領域である場合は各文字が占める画素数に応じた文字サイズの認識、ＲＯＭに格納された文字形状に関する情報に基づいた文字認識及びＲＯＭに格納された辞書情報とその認識した文字の縦方向又は横方向の並びとを比較することで、縦書き又は横書きの識別を行う。
【００３９】
画像変換部１１２は、ブロック分割部１１１で分割された領域に対して、拡大又は縮小や鮮鋭化等の画像処理、認識された文字のサイズ変更、ＲＯＭに格納された他の書体（フォント）への変更又は縦書き／横書きへの変換などの各種変換処理を行い二次画像メモリ１１３に格納する。
【００４０】
表示制御部１１４は、上述のＲＯＭに設定された内容や操作部１２から入力される操作指示に応じて、ブロック分割部１１１や画像変換部１１２などに処理の内容を示す制御指示を送るとともに、二次画像メモリ１１３に格納された画像データをビデオ信号等の所定の信号に変換して映像表示部１３へ出力して行う表示制御などの原稿の読み取りから表示に関する各種制御処理を行う。
【００４１】
操作部１２は、電源キー、カーソルキー、各種機能キー等であり、押下されたキーに対応する信号をコントロールユニット１１に出力する。映像表示部１３は、後述構成によりコントロールユニット１１から入力される画像信号に基づいた映像を利用者の眼に可視画像として表示する。
【００４２】
ここで、映像表示部１３により利用者の眼に画像を表示する構成について説明する。図２に示すように、表示装置１は、鼻当て２２、テンプル２３Ｒ、２３Ｌ、及びプリズム２４Ｒ、２４Ｌを有する構成である。鼻当て２２は、利用者の鼻の付け根部分に載せるように装着する部材であり、プリズム２４Ｒ、２４Ｌに取り付けられ、これらを連結している。
【００４３】
テンプル２３Ｒ、２３Ｌは、利用者の側頭部の耳に掛けるように装着する部材であり、それぞれプリズム２４Ｒ、２４Ｌにおいて鼻当て２２との連結部分とプリズムを挟んだ逆側の端部付近に取り付けられている。このため、利用者は、鼻当て２２を鼻にあて、テンプル２３Ｒ、２３Ｌを耳に掛けた場合、プリズム２４Ｒ、２４Ｌを利用者の目の前に固定的に配することができる。
【００４４】
なお、テンプル２３Ｒ、２３Ｌは、プリズム２４Ｒ、２４Ｌ近傍の部位に設けられた軸により、内側（鼻当て２２側）に折りたたみ可能な構成であって良い。また、プリズム２４Ｒ、２４Ｌは、透明なガラス又は樹脂等で作成されており、外界からの光をそのまま利用者の眼に導く構成であっても良いが、利用者の近視又は遠視等を矯正するような光学的パワーを持つ構成であってもよい。
【００４５】
プリズム２４Ｒの縁、例えば同図に示すように、装着時におけるプリズム２４Ｒの鉛直方向上側には、ケーブル２１によりコントロールユニット１１と電気的に接続する映像表示部１３が設けられている。このコントロールユニット１１から入力される画像信号に基づいた映像を投光する映像表示部１３とその映像を導光するプリズム２４Ｒにより、利用者は装着時に画像を虚像として認識することができる。
【００４６】
具体的には、図３に示すように、映像表示部１３とプリズム２４Ｒとは、ＬＣＤ１３１、筐体１３２、ＬＥＤ１３３、レンズ１３４、同一の透過部材であるプリズム２４Ｒ１、２４Ｒ３及びその接合面に形成されたホログラム素子２４Ｒ２よりなる。
【００４７】
液晶表示器であるＬＣＤ１３１（Liquid  Crystal  Display）は、コントロールユニット１１から入力される画像信号に応じて利用者の眼に表示するための映像を表示する。その表示した映像は、ＬＥＤ１３３から投光されてレンズ１３４を介することでＬＣＤ１３１の全面に均一に導かれた光により、プリズム２４Ｒ１の内部に導光される。筐体１３２は、その内部においてＬＣＤ１３１、ＬＥＤ１３３及びレンズ１３４を固定し、くさび状に形成されたプリズム２４Ｒ１の上端部を挟むようにプリズム２４Ｒに取り付けられる。
【００４８】
プリズム２４Ｒ１は、ＬＣＤ１３１から入射される光を内壁面で複数回全反射させながら、ホログラム素子２４Ｒ２に導く。ホログラム素子２４Ｒ２は、導かれた光を回折させて、平行光に近い光束としながら、眼Ｅに入射させる。
【００４９】
次に、表示装置１のコントロールユニット１１が制御して行う動作について説明する。図４に示すように、コントロールユニット１１は、画像読取部１０を駆動して読み取り対象である原稿を読み取り（ステップＳ１１）、その読み取った画像データを一次画像メモリ１１０に格納する（ステップＳ１２）。
【００５０】
この画像読取部１０で読み取る原稿は、具体的には、図５（ａ）に示すように、新聞や雑誌などの紙面である原稿Ｔである。この原稿Ｔには、区割り線や空白などで区切られた領域に記事Ｋ１や記事Ｋ２が割り付けて印刷されている。
【００５１】
ステップＳ１２の後、一次画像メモリ１１０に格納された画像を元に空白領域や区切り線などの区切り情報で区切られたブロック（領域）とそのブロック内の描画パターンに基づいた文章領域又は画像領域の認識とが行われ（ステップＳ１３）、読み込まれた画像をその認識されたブロックで分割するブロック分割処理が行われ（ステップＳ１４）、その分割されたブロックに対してそのブロック毎にステップＳ１５〜Ｓ２１のループ処理が行われる。
【００５２】
具体的にこのブロック認識では、図５（ｂ）に示すように、前述した原稿Ｔにおける空白領域Ｂと区切り線Ｌ１、Ｌ２に基づいて、写真Ｇ１、Ｇ２などの画像領域や文章Ｋ１１、Ｋ１２、Ｋ１３、Ｋ２１などの文章領域が認識される。
【００５３】
ステップＳ１５〜Ｓ２１のループ処理では、文章領域に対して文字サイズや書体などの文字認識処理が行われ（ステップＳ１６）、その認識された文字に対して操作部１２からの指示やＲＯＭに設定された内容に応じた文字サイズ／書体の変更処理が行われる（ステップＳ１７）。具体的には、認識された文字サイズなどに基づいて見出しや通常文書等の認識が行われ、見出しである場合には太字などの強調書体での表示が行われる。
【００５４】
次いで、文章領域に対しては、縦書き又は横書きの認識が行われ（ステップＳ１８）、その認識結果と操作部１２からの指示やＲＯＭに設定された内容とが比較されて変更の必要がある場合は縦／横書きの変換処理が行われて（ステップＳ１９）、二次画像メモリ１１３に格納される（ステップＳ２０）。
【００５５】
なお、上述のループ処理における文字サイズ／書体の設定や縦／横書きの書式設定は、ループ処理の全てに対して、つまり全ての文章領域に対して同じ設定で行ってもよい。この場合は、変換後の文章領域の表示を同じ見栄えにすることができ、利用者が複数の文章領域を続けて閲覧した際に読みやすくすることができる。
【００５６】
上述したループ処理の後、二次画像メモリ１１３に格納された領域毎の画像データに基づいて、映像表示部１３の画面に操作部１２の指示で選択された画像領域の表示や操作部１２の指示によるその表示画像のスクロール表示などの表示処理が行われて（ステップＳ２２）、終了する。
【００５７】
この表示処理では、図６に示すように、二次画像メモリ１１３に格納された画像を元に操作部１２から指示された文字サイズ・書体・書式で再度ステップＳ１７、Ｓ１９の処理を行い、表示画面Ｈ１〜Ｈ５のような画面構成に切り替えて表示してもよい。表示画面Ｈ１は横書き書式の文章Ｋ２１と写真Ｇ２とを同時に表示する画面であり、表示画面Ｈ２は縦書き書式の文章Ｋ２１と写真Ｇ２とを同時に表示する画面であり、文字領域と画像領域とを同時に表示する画面構成である。また、表示画面Ｈ３は横書き書式の文章Ｋ２１などの文字領域だけを表示する画面であり、表示画面Ｈ４は写真Ｇ１、Ｇ２などの画像領域だけを表示する画面である。表示画面Ｈ５は、読み取った記事Ｋ１、Ｋ２を全画面表示し、前述した表示画面Ｈ１〜Ｈ４などで表示する部分を表示マーカーＭで示す画面である。他にも文字サイズや書体を切り替える構成であってもよい。
【００５８】
また、ブロック分けされた領域の表示から読み取った画像の全画面表示に切り換える場合、図示例では表示画面Ｈ１〜Ｈ４から表示画面Ｈ５の表示に切り換える場合、切換前の表示部分に対応する部分をマーカー表示する構成、図示例では表示画面Ｈ１の文章Ｋ２１に対応する表示マーカーＭの表示であってよい。逆に、読み取った画像の全画面表示からブロック分けされた領域の表示に切り換える場合、その全画面表示の際にマーカーの位置（表示マーカーＭの位置）の移動指示を操作部１２から受け付けて、マーカーの位置に応じた領域を表示する構成であってよい。
【００５９】
以上、本実施の形態によれば、表示装置１は、画像読取部１０から入力された画像データに基づいた画像を映像表示部１３から仮想表示する際に、その画像データに基づいた画像における区切り線や空白領域などの区切り情報を元に表示領域を分割し、映像表示部１３における画面表示をその分割された表示領域毎に行う。このため、表示装置１は、利用者が画像読取部１０から入力された画像を閲覧する際により読みやすくすることができる。
【００６０】
また、表示装置１は、区切り情報で分割された領域の描画パターンに基づいて文字が記載された文章領域又は画像領域の区別することで、区分けされた表示領域毎に映像表示部１３から仮想表示する際、文章と画像とを区別して表示することができ、閲覧する際に分かり易く表示することができる。
【００６１】
また、表示装置１は、区分けされた文章領域を表示する際に、文字書体・文字サイズ・書式（縦書き／横書き）等の文字表示の形態を変換することができるため、利用者が読みやすい形態で文章を表示することができる。更に、表示装置１は、複数の文章表示領域における上述した文字表示の形態を統一することができるため、縦書きや横書きが混在する原稿を閲覧する場合においても統一した表示形態で見やすくすることができる。
【００６２】
また、表示装置１は、操作部１２からの指示に応じて、前述した表示画面Ｈ１〜Ｈ５のように、読み取った画像の全画面表示や、ブロック分けされた文章領域又は画像領域のいずれか一方又は両方など様々な表示形態を選択指示することができ、利用者が見易い形態で映像表示部１３に表示することができる。
【００６３】
また、表示装置１は、操作部１２からの指示に応じて、ブロック分けされた領域の表示から読み取った画像の全画面表示に切り換える際に、切換前の表示部分を表示マーカーＭで示すことができるため、全画面表示においても閲覧箇所を見失うことなく見易く表示することができる。
【００６４】
また、表示装置１は、操作部１２からの指示に応じて、読み取った画像の全画面表示からブロック分けされた領域の表示に切り換える場合、その全画面表示の際に表示マーカーＭの位置の移動指示を操作部１２から受け付けて、そのマーカー位置に応じた領域を表示することができるため、全画面表示からブロック分けされた領域を指定することができ、閲覧時における利便性を向上させることができる。
【００６５】
なお、本実施の形態における記述は、本発明の一例を示すものであり、これに限定しない。本実施の形態における表示装置１の細部構成及び細部動作に関しては、本発明の趣旨を逸脱しない範囲で適宜変更が可能である。
【００６６】
例えば、本実施の形態では、映像表示部１３は利用者の頭部に装着してその利用者の眼に可視画像を表示する構成であるが、単なるＣＲＴ（Cathode-Ray  Tube）やＬＣＤなどのディスプレイであってもよい。
【００６７】
また、映像表示部１３に表示する画像は、画像読取部１０から光学的に読み取られた原稿に基づく画像データ以外に、他の外部機器から通信回線や無線送信を介して通信装置（いずれも特に図示しない）に送られるデータに基づくものであってよい。具体的には、インターネットなどのネットワークの情報機器に格納されたＨＴＭＬ形式のデータや画像データにおいて、当該データにおけるレイアウト情報（ＨＴＭＬにおけるテーブルなどのタグ情報）に基づいて区分けされたテキスト情報又は画像情報を表示する構成である。
【図面の簡単な説明】
【００６８】
【図１】本発明である表示装置１の機能的構成を模式的に示す図である。
【図２】表示装置１の外観を示す図である。
【図３】表示装置１とプリズム２４Ｒ部分の縦断面を示す図である。
【図４】表示装置１の動作を示すフローチャートである。
【図５】（ａ）は、画像読取部１０で読み取る原稿を例示する図であり、（ｂ）は、原稿の構成を例示する図である。
【図６】読み取った原稿に基づいた映像表示部１３における表示例を示す図である。
【符号の説明】
【００６９】
１  表示装置
１０  画像読取部
１１  コントロールユニット
１１ａ  読取ユニット
１１ｂ  表示ユニット
１２  操作部（指示手段、マーカー位置指示手段）
１３  映像表示部（表示手段）
２１  ケーブル
２２  鼻当て
２３Ｒ、２３Ｌ  テンプル
２４Ｒ、２４Ｒ１、２４Ｒ３、２４Ｌ  プリズム
２４Ｒ２  ホログラム素子
１１０  一次画像メモリ
１１１  ブロック分割部（表示領域分割手段）
１１２  画像変換部（文字書体変換手段、文字サイズ変換手段、書式変換手段）
１１３  二次画像メモリ
１１４  表示制御部（表示制御手段）
１３１  ＬＣＤ
１３２  筐体
１３３  ＬＥＤ
１３４  レンズ
Ｂ  空白領域
Ｅ  眼
Ｇ１、Ｇ２  写真
Ｈ１〜Ｈ５  表示画面
Ｋ１、Ｋ２  記事
Ｋ１１〜Ｋ１３、Ｋ２１  文章
Ｌ１、Ｌ２  区切り線
Ｍ  表示マーカー（マーカー）
Ｔ  原稿
【図１】
0004730083.tif 000002
【図２】
0004730083.tif 000003
【図３】
0004730083.tif 000004
【図４】
0004730083.tif 000005
【図５】
0004730083.tif 000006
【図６】
0004730083.tif 000007